(57)【要約】      （修正有）【課題】軽量で、丈夫で、バスケットへの着脱が簡単で部品を少なくし、加工時間の省力化を計る雨天用新聞配達バスケットカバー蓋取付け具を提供する。【解決の手段】バスケットを利用する事に限られるので、軽量で、着脱が簡単でなくてはならぬので、樹脂の材料を加工時間をも省力化を計る為、成形機により、部品数も少なくし、大、小２枚の部品で両サイド共用出来る事にするので期待がもてる。金型に多大な費用がかかるので代替材料ではあるが、大変に便利な物で、付属品のビニールシート使用時部品を利用も効果大であり、専用バスケットカバーのみならずビニールシートも出来るのでスクーターのみならずどんなバイクにも大いに役に立つであろう事が実証出来た。【選択図】図７
0003170157.tif 000002
【実用新案登録請求の範囲】
【請求項１】
大、小の樹脂板を合わせボルト締めした物を、バイクのバスケット枠両サイド上にかぶせ乗っかる型にした物で、大の方は直角２等辺三角形の斜辺の中程で外側に約３ｃｍのふくらみのある円弧で結び各コーナーを丸く特に底辺斜辺側は底辺の長さ５分の１程が無くなる程大きな丸みにし垂直辺中程に、ハンドルのプロテクターの動きの障害にならぬ様半月形の切り欠きを、頂点近くに穴、底辺近く中央に下部穴、頂点より斜辺の中程まで、約０．３ｃｍ角の余肉をふちどりに両面に施した物をベースとし、もう一方の小は四角形でベースとの結合でバスケットサイド枠を挟さむ分、厚くプラスした合わせ面を四角形一辺側に施し、その対辺は、隣辺長さの１００分の１８合わせ面一辺長さより短くしサイド枠縦線に沿わす為であり両サイドの隣辺角度は同じにし、そして短くした辺近く中央に穴を施した物を、合わせ面を上にしサイド枠上内側に乗っかる型にし、合わせ面以外は枠下に沈ませ、ベース底辺をサイド枠上外側に平行枠下に約７ｃｍ沈め、ベース切り欠き側四角辺からベース底辺斜辺側の大きな丸みの端までがサイド枠横巾以内の関係が結合ボルト締めの位置になり、この考案具を両サイド枠上にかぶせ、四角形下部穴又はベースの下部穴を金具付きゴムバンドに接続出来、ベース斜辺にカバー蓋をかぶせ頂点穴にてセットどめする雨天用新聞配達バスケットカバー蓋取付け具。
【請求項２】
専用カバーでなく、ビニールシートを使用したい時、付属品のビニールシートセットどめ部品の長さ３６ｃｍ、２本をそれぞれを両サイド頂点穴にそれぞれの端より８ｃｍのところのＲピンまでを通し、パイプによって２本を連結し、ビニールシート上部端中央をパイプ中央あたりと、両サイドベースより突き出たところの３ヶ所でビニールシートをセットどめ出来る構成を請求項１に設えた雨天用新聞配達バスケットカバー蓋取付け具。
【考案の詳細な説明】
【技術分野】
【０００１】本考案は、バイクによる雨天での新聞配達に於いてバスケットカバー蓋の部分を新聞を出し入れする為の開口つけて、セットどめする為の考案具である。
【背景技術】
【０００２】バイク、中でもスクーターでの配達ではバスケットとハンドルの動きが分離型である為にバスケットカバーがセットどめ出来ずに困っている。一方の手で蓋を上げもう一方の手で新聞を出すという、非常に無汰があり、先般私が実願し、便利の良いものが出来たが、加工時間の都合上商品化がむずかしい。
【課題を解決しようとする課題】
【０００３】考案具は、バスケットを利用する事に限られるので、軽量で、丈夫で、バスケットへの着脱が簡単でなくてはならぬ、又、部品数を少なくし、加工時間の省力化を計らねばならぬ。
【課題を解決する為の手段】
【０００４】軽くて、丈夫な樹脂を利用し、成形機による大、小２枚の部品でサイド枠左、右共用でボルト締めとし、加工時間の省力化を計る。
【考案の効果】
【０００５】大巾に部品数の削減で、又成形機にかけることで加工時間が省力化し目的が達成出来る。ただ金型に多大な費用がかかるので今だ給図面であるが、模擬材料で試作の結果大きな進歩であり、付属品の丸木棒３６ｃｍ、２本を使用すれば専用カバーのみならずビニールシート使用時も大いに役立ち、スクーター以外の配達用バイクにも簡単確実にセットどめ出来る。
【図面の簡単な説明】
【０００６】
【図１】考案具の正面図で、左、右一対で１セットとなる。
【図２】考案具正面図に対する右側面図である。
【図３】考案具正面図に対する左側面図である。
【図４】考案具をバスケットへ装着後下に押え込む金具付きゴムバンドである。
【図５】ベースと、四角形樹脂板の結合締めつけボルト。
【図６】ビニールシート使用時シートセットどめ部品。  専用バスケットカバーでなく、ビニールシートを使用したい時、考案具装着後両サイドのベース穴にそれぞれに通しシートをセットどめする部品、対外的案全上洋木棒又は、樹脂棒使用もありうる。
【図７】バイクバスケット、考案具のベースと、四角形樹脂板、バスケットカバー等の構成写真。
【図８】ビニールシートセットどめ部品を使用している写真。
【符号の説明】
【０００７】１．考案具のベースとなる樹脂板でサイド枠より外側になる。
２．ベースとの結合部品でサイド枠より内側に位置する樹脂板。
３．カバー又はビニールシートをこの斜辺上にかぶせるので、それらがキズつかぬ様少しの面を大きくし、又は、シートクリップどめ用として役に立てば。
４．ベースと、四角形の結合ボルト。
５．バスケットカバー蓋部セットどめ穴、又ビニールシートセットどめ用の部品使用時部品の棒をこの穴に通す。
６．考案具をサイド枠にかぶせた後金具付きゴムバンド接続穴。使用者によって選択す。
７．金具付きゴムバンド接続穴であるが、使用者で選択す。
【図１】
0003170157.tif 000003
【図２】
0003170157.tif 000004
【図３】
0003170157.tif 000005
【図４】
0003170157.tif 000006
【図５】
0003170157.tif 000007
【図６】
0003170157.tif 000008
【図７】
0003170157.tif 000009
【図８】
0003170157.tif 000010
【手続補正書】
【提出日】平成23年6月16日(2011.6.16)
【手続補正１】
【補正対象書類名】実用新案登録請求の範囲
【補正対象項目名】全文
【補正方法】変更
【補正の内容】
【実用新案登録請求の範囲】
【請求項１】
バイクバスケット枠両サイド上に大・小から成る樹脂板をボルト締めした物をかぶせ乗せる雨天用バスケットカバー蓋取付け具であり、大の方は、直角２等辺三角形の斜辺を円弧で外にふくらませ、斜辺にふちどり
0003170157.tif 000011
垂直辺中程にハンドルのプロテクターの障害を防ぐ為に半月形の切り欠きを、その上の頂点近くに穴、底辺近く中央にも穴を施した物がベースとなる樹脂板で、サイド枠上外側に約７〜８ｃｍ沈め内側に結合さすもう一方の小の樹脂板は四角形で、台形を逆さにした２等辺逆台形で上部にサイド枠を挟さむ厚さをプラスした合わせ面を、下方に穴を施し、合わせ面を枠上に乗せ、前記ベースの切り欠き側逆台形の端よりベース底辺斜辺側端までの長さが寸法的にサイド枠内に治まる関係が結合ボルト締め位置で、逆台形縦線角度が考案具装着に於いて、サイド枠内の縦線に沿い安定保持の大事な役目の特徴を持ち、ベースに於いては前記頂点近くにカバー蓋セットどめ用穴を有し、前記底辺近く中央の穴は金具付きゴムバンド接続用である事を特徴とする雨天用新聞配達バスケットカバー蓋取付け具。
【請求項２】
専用カバーでなく、ビニールシートを使用する時、附属品のシートセットどめ部品の丸棒２本を左・右それぞれのベース上部のカバーセットどめ用穴にＲピンまで通し、中央で２本をパイプで連結し、部品組み合わせ完了後、ビニールシート上部端中ほどと、パイプのところで、ベース上部穴より突き出た左・右の丸棒の３ヶ所でビニールシートセットどめ出来る事を特徴とする、請求項１に記載の雨天用新聞配達バスケットカバー蓋取付け具。